(57)【要約】【課題】防水または防滴構造を備えた電子ビューファインダ装置において、外光が漏れ込むことのない内圧調整機構を備えた、防水または防滴構造の電子ビューファインダ装置を提供すること。【解決手段】表示パネルに表示される画像を鏡筒に保持された接眼レンズを介して視認可能にする電子ビューファインダ装置において、前記電子ビューファインダ装置は視度調整のために前記表示パネルと前記鏡筒間の距離を調整する機構を備えており、前記電子ビューファインダ装置は、前記表示パネルと前記接眼レンズの間に、前記表示パネル面と略平行に形成された外観部と繋がる穴部を有し、前記電子ビューファインダ装置は、前記穴部を覆う取り外し可能なダストカバーを備えており、前記ダストカバーは、前記電子ビューファインダ装置外部と前記穴部を繋げる通気開口部を有し、前記通気開口部は、前記穴部の主たる軸に略垂直な通気経路を有しており、前記通気開口部を覆うように撥水性および通気性を有す薄膜部材が設けられていることを特徴とする。【選択図】図２
2017223759.tif 000002
【特許請求の範囲】
【請求項１】
表示パネルに表示される画像を鏡筒に保持された接眼レンズを介して視認可能にする電子ビューファインダ装置において、
前記電子ビューファインダ装置は視度調整のために前記表示パネルと前記鏡筒間の距離を調整する機構を備えており、
前記電子ビューファインダ装置は、前記表示パネルと前記接眼レンズの間に、前記表示パネル面と平行に形成された外観部と繋がる穴部を有し、
前記電子ビューファインダ装置は、前記穴部を覆う取り外し可能なダストカバーを備えており、
前記ダストカバーは、前記電子ビューファインダ装置外部と前記穴部を繋げる通気開口部を有し、
前記通気開口部は、前記穴部の主たる軸に垂直な通気経路を有しており、
前記通気開口部を覆うように撥水性および通気性を有す薄膜部材が設けられていることを特徴とする電子ビューファインダ装置。
【請求項２】
前記ダストカバーにおいて、前記通気経路は前記ダストカバーの側面から概して垂直方向を向いており、
前記ダストカバー外観側面から前記通気経路内壁面までの長さは、前記ダストカバー外観下面から前記通気経路上壁面までの長さより長いことを特徴とする請求項１に記載の電子ビューファインダ装置。
【請求項３】
前記ダストカバーは外周部に沿うように貼り付けられた撥水性部材を備えており、
前記ダストカバーは、前記通気開口部を有する側面が他側面に対して厚みがある形状となっており、前記撥水性部材が貼付可能なように厚みの変化がなだらかな傾斜によって接続されていることを特徴とする請求項１又は請求項２に記載の電子ビューファインダ装置。
【発明の詳細な説明】
【技術分野】
【０００１】
本発明は、防滴構造を備えた電子ビューファインダ装置等の光学機器における内圧調整機構に関する。
【背景技術】
【０００２】
従来、電子ビューファインダ装置において、鏡筒を移動させることで視度が変化するものがある。このような電子ビューファインダ装置では、鏡筒が視度調整の際に移動し、電子ビューファインダ装置の筐体内部の空気の容積が大きく変化するものが存在する。このように筐体内部の容積が変化する際は、筐体を構成する部品同士の隙間から空気が出入りし、筐体内の圧力が外圧と実質的に同一に保たれる。これにより、視度調整操作による鏡筒の移動をスムーズに行わせることができる。
【０００３】
一方、このような光学機器に対して防水または防滴機能を付与しようとすると、筐体は外部に対して密閉されるため、空気の出入りが阻害されてしまう。そのため、視度調整の際に筐体内部の容積が変化することで内圧が変化し、筐体内外の空気圧差が生じてしまう。この場合は、視度調整の操作トルクが過度に重くなってしまうなどの弊害が生じる。
【０００４】
そこで、従来は、筐体に通気孔を設け、この通気孔に空気の通過は許容するが水分の通過は防止する撥水性多孔部材を貼り付け、固定し、通気部として機能する内圧調整機構として使用するものが提案されている（特許文献１）。
【先行技術文献】
【特許文献】
【０００５】
【特許文献１】特開２００５−２２７４００号公報
【発明の概要】
【発明が解決しようとする課題】
【０００６】
しかしながら、特許文献１に記載された従来技術では、通気孔の全体を覆うようにして水滴が付着した状態で筐体内の容積が減少した際に、筐体の内圧が下がり、水滴が筐体内部に吸い込まれてしまう場合がある。撥水性多孔部材は、水滴が一度通過してしまうとその撥水効果が著しく劣化する。そのため、電子装置としてのメンテナンス性を確保するためには、通気孔に貼り付けられる撥水性多孔部材は交換容易である必要がある。
【０００７】
電子ビューファインダ装置においては、取り外し可能な蓋部に撥水性多孔部材を配することで、撥水性多孔部材を交換容易とすることが出来る。電子ビューファインダ装置は画像を表示する表示パネルの清掃を容易にするために、清掃器具を挿入するための開口部と開口部を塞ぐためのダスト蓋を設けているものがある。ダスト蓋は通気孔が有し、通気孔を塞ぐようにして撥水性多孔部材を取り付けることで、電子ビューファインダ装置として表示パネルおよび撥水性多孔部材のメンテナンス性を高めることができる。
【０００８】
しかし、上記のような構造をとった場合、通気孔が表示パネルに対して近い位置になるため、外部からの光が通気孔と撥水性多孔部材を通過して、表示パネル近傍まで到達する怖れがある。表示パネル近傍への外光の入射は、電子ビューファインダ装置としての視認性を下げるため、好ましくない。このような問題を解消するには、さらなる工夫が必要となる。
【０００９】
本発明は、上記のような従来技術の問題点を解決するために提案されたものであり、防水または防滴構造を備えた電子ビューファインダ装置において、外光が漏れ込むことのない内圧調整機構を備えた、防水または防滴構造の電子ビューファインダ装置を提供することを目的とする。
【課題を解決するための手段】
【００１０】
上記の目的を達成するために、本発明に係る電子ビューファインダ装置は、
表示パネルに表示される画像を鏡筒に保持された接眼レンズを介して視認可能にする電子ビューファインダ装置において、前記電子ビューファインダ装置は視度調整のために前記表示パネルと前記鏡筒間の距離を調整する機構を備えており、前記電子ビューファインダ装置は、前記表示パネルと前記接眼レンズの間に、前記表示パネル面と略平行に形成された外観部と繋がる穴部を有し、前記電子ビューファインダ装置は、前記穴部を覆う取り外し可能なダストカバーを備えており、前記ダストカバーは、前記電子ビューファインダ装置外部と前記穴部を繋げる通気開口部を有し、前記通気開口部は、前記穴部の主たる軸に略垂直な通気経路を有しており、前記通気開口部を覆うように撥水性および通気性を有す薄膜部材が設けられていることを特徴とする。
【発明の効果】
【００１１】
本発明によれば、外光が漏れ込むことのなく交換容易な内圧調整機構を備えた、防水または防滴構造の電子ビューファインダ装置を提供することができる。
【図面の簡単な説明】
【００１２】
【図１】電子ビューファインダ装置の主に背面構成を表す背面右側上方から見た斜視図
【図２】電子ビューファインダ装置の鏡筒収納状態における構造を表す概略断面図
【図３】電子ビューファインダ装置の鏡筒繰出状態における構造を表す概略断面図
【図４】ガイドによる鏡筒の並進機構を表す図
【図５】電子ビューファインダ装置の主に底面構成を表す正面右側下方から見た斜視図
【図６】電子ビューファインダ装置の主に表示パネル付近の構成を示す切断斜視図
【図７】ダストカバーの主に上面構成を表す斜視図
【図８】ダストカバーのＸＺ平面における断面図
【図９】電子ビューファインダ装置に取り付けられたダストカバーと表示パネルの配置関係を示す断面図
【発明を実施するための形態】
【００１３】
以下に、本発明の好適な一実施形態について、電子ビューファインダ装置に本発明を適用し、図面を参照しながら説明する。
【００１４】
尚、本実施形態での説明において、図１における矢印にて示す方向を、各々±Ｘ方向・±Ｙ方向・±Ｚ方向と定める。また、本実施形態における電子ビューファインダ装置およびダストカバーにおいて、図１Ｘ軸マイナス方向に向かって見た時、視認できる面を正面、正面と対向する面を背面、正面から見て右側の面を右側面、正面から見て左側の面を左側面、正面から見て上側の面を上面、正面から見て下側の面を底面、と各々称する。
【００１５】
（電子ビューファインダ装置の構造に関する説明）
図１は電子ビューファインダ装置１００の主に背面構成を示す背面右側上方から見た斜視図、図２は電子ビューファインダ装置１００のＸＺ平面における断面図である。
【００１６】
図１、図２を用いて電子ビューファインダ装置１００の全体の構成を説明する。
【００１７】
電子ビューファインダ装置１００はパネル制御基板１およびパネル制御基板１に電気的に接続された表示パネル２を備えている。表示パネル２から射出された光線が鏡筒３に保持されたレンズ群４を介して拡大もしくは縮小され、撮影者の眼５に入射することで、撮影者は表示パネル２に表示される画像を確認することが出来る。
【００１８】
鏡筒３と回動リング６は多条ネジによって接続されており、鏡筒３には多条ネジのオス形状３ａ、回動リング６には多条ネジのメス形状６ａが加工されている。ユーザーは回動リング６を回動させることにより、鏡筒３が光軸ａ方向に並進移動させ、鏡筒３に保持されたレンズ群４と表示パネル２間の距離が変化し、視度を調整することが出来る。なお、回動リング６の回動と、鏡筒３の並進はカム機構によって実現してもよい。
【００１９】
図３は回動リング６を回動させ、鏡筒３を−Ｘ方向に繰り出した状態を示した電子ビューファインダ装置１００のＸＺ平面での断面図を示したものである。
【００２０】
表示パネル２とレンズ群４の間の空間ｂが図２の状態に比べ、大きくなり、電子ビューファインダ装置１００内の圧力が変化する。ガイド７は回動リング６を光軸ａ中心に回動可能なように保持するものであり、回動リング６の回動量と光軸ａ方向への並進を規制する。
【００２１】
また、図４に示すように、鏡筒３に挿入されたピン３ｂがガイド７の摺動部７ａを摺動することで、鏡筒３の光軸ａ方向中心での回動が規制される。なお、本特許の請求項１における穴部の主たる軸とは、図３に示す軸ｃである。
【００２２】
図５に示すように、電子ビューファインダ装置１００の主たる外観を構成するのは、上面カバー８ａ・右面カバー８ｂおよび左面カバー８ｃの３つの筐体外装８である。上面カバー８ａは主に外装の上面を構成し、右面カバー８ｂは右側面および底面右側面側を構成し、左面カバー８ｃは左側面および底面左側面側を構成する。上面カバー８ａ・右面カバー８ｂおよび左面カバー８ｃはすべてベース部９に締結される。また、パネル制御基板１、表示パネル２も同様にベース部９に固定される。
【００２３】
実施例における電子ビューファインダ装置１００においては、各部品の接触部には防塵性・防滴性を高める工夫がなされており、パネル制御基板１や表示パネル２近傍にゴミ・水滴が混入するリスクを抑制している。筐体外装８とガイド７との隙間はＯリング１０によってシールされている。また、ガイド７と回動リング６の摺動部および、回動リング６と鏡筒３の螺合部にはグリスが塗布され、異物の混入を防ぐ構成となっている。
【００２４】
（表示パネル２の清掃作業に関する説明）
表示パネル２にゴミ等の異物が付着すると、付着した異物が表示パネル２が射出する光線を一部遮断し、撮影者の眼５には影として視認される。電子ビューファインダ装置としては表示パネル２の清掃を容易にすることで、メンテナンス性を高めることが出来る。
【００２５】
以下では、本実施例の電子ビューファインダ装置１００における表示パネル２の清掃作業に関して説明する。
【００２６】
図５は電子ビューファインダ装置１００の主に底面構成を示す正面右側下方から見た斜視図である。
【００２７】
ダストカバー１１は電子ビューファインダ装置の底面に配され、電子ビューファインダ装置１００内部でベース部９に２本のダストカバービス１１ａで締結されている。ダストカバービス１１ａと共にダストカバー１１をベース部９から外すことで、電子ビューファインダ装置１００内部に清掃道具を挿入することができるようになる。
【００２８】
図６はダストカバー１１を外し、清掃道具として綿棒１２を挿入した状態の電子ビューファインダ装置１００の主に表示パネル２付近の構成を示す切断斜視図である。
【００２９】
ダストカバー１１が外されたことで、綿棒やブロアー等の棒状の清掃道具を底面側から挿入し、表示パネル２まで到達させることが可能になる。表示パネル２に汚れや異物が付着した際に、汚れを綿棒で拭き取ったり、異物をブロアーで吹き飛ばすことが出来る。
【００３０】
（ダストカバーに関する説明）
電子ビューファインダ装置１００においては、ベース部９と筐体外装８の隙間がＯリング１０によってシールされるなど、防塵・防滴性を高める工夫がなされている。ダストカバー１１に関しても、図７のようにダストカバー１１の外周を覆うように防水クッション１２が備えられており、ダストカバー１１が電子ビューファインダ装置１００に組まれた際にベース部９および筐体外装８との隙間をシールする機能を果たす。
【００３１】
しかし、前述したように、鏡筒３は並進移動可能であるため、図２、図３から明らかなように電子ビューファインダ装置１００内では空気の容積が変化し得る。防塵・防滴のためのシール構造が施された電子ビューファインダ装置１００においては、内外に圧力差が生じないようにするには、空気が出入りするための通気口が必要になる。
【００３２】
ダストカバー１１には、表示パネル２を清掃するための取り外し容易な蓋としての役割の他に、圧力調整のための通気口としての役割がある。図７にあるように、ダストカバー１１はダストカバー通気穴１１ｂを備えており、電子ビューファインダ装置１００の外部からの空気を取り込み、排出することが出来る。
【００３３】
ダストカバー１１において、ダストカバー通気穴１１ｂが配される側面は他側面に比べ厚みがある。ダストカバー１１の側面はなだらかな傾斜によって各側面の厚みが変化するような形状となっており、防水クッション１２はそれに沿うようにダストカバー１１に貼り付けられる。
【００３４】
さらに、ダストカバー１１の上面側には薄膜状の撥水性多孔部材１３が貼り付けられている。撥水性多孔部材１３は空気の通過は許容するが水分の通過は防止する性質を持つ。
【００３５】
図８はダストカバー１１および撥水性多孔部材１３のＸＺ平面における断面図である。
【００３６】
図８に示すように、撥水性多孔部材１３はダストカバー通気穴１１ｂを内部で封止する位置に配されている。よって、水滴やゴミ等がダストカバー通気穴１１ｂから電子ビューファインダ装置１００内部に流入するのを防ぐ事ができる。このように、ダストカバー１１および撥水性多孔部材１３は電子ビューファインダ装置１００において、異物の流入を防ぎ、かつ外部との通気口として内部の圧力を調整する役割を持つ。
【００３７】
撥水性多孔部材１３は、ダストカバー通気穴１１ｂより侵入した水滴・ゴミによって機能を損なうほどダメージを負った場合、交換が必要となる。本実施例の構成においては、撥水性多孔部材１３は、筐体外装８から容易に取り外し可能なダストカバー１１に配されているため、撥水性多孔部材１３の交換には複雑な分解作業の必要がなく簡便な作業のみによって可能である。
【００３８】
図９は電子ビューファインダ装置１００に取り付けられたダストカバー１１と表示パネル２の配置を表したものである。
【００３９】
表示パネル２の近傍に電子ビューファインダ装置１００外部からの光が入射すると、表示パネル２が表示する画像の視認性を下げてしまうことがある。本実施例においては、電子ビューファインダ装置１００下方からの外光が、ダストカバー通気穴１１ｂから漏れ入るリスクがある。
【００４０】
しかし、ダストカバー通気穴１１ｂが概してＸ軸方向を向いていることで、ダストカバー１１に対してＺ軸方向＋側に位置する表示パネル２に対しては、外光が到達しにくい構造となっている。
【００４１】
また、図８に示すようにダストカバー１１においては、通気穴長１１ｃが通気穴高さ１１ｄよりも長い形状となっている。そのため、ダストカバー１１下方からダストカバー通気穴１１ｂに入射する光線は、ダストカバー１１上方の撥水性多孔部材１３に直接入射することがない。
【符号の説明】
【００４２】
１００  電子ビューファインダ装置、１  パネル制御基板、２  表示パネル、３  鏡筒、
３ａ  オス形状、３ｂ  ピン、４  レンズ群、５  撮影者の眼、６  回動リング、
６ａ  メス形状、７  ガイド、７ａ  摺動部、８  筐体外装、８ａ  上面カバー、
８ｂ  右面カバー、８ｃ  左面カバー、９  ベース部、１０  Ｏリング、
１１  ダストカバー、１１ａ  ダストカバービス、１１ｂ  ダストカバー通気穴、
１１ｃ  通気穴長、１１ｄ  通気穴高さ、１２  防水クッション、
１３  撥水性多孔部材、ａ  光軸、ｂ  空間、ｃ  軸
【図１】
2017223759.tif 000003
【図２】
2017223759.tif 000004
【図３】
2017223759.tif 000005
【図４】
2017223759.tif 000006
【図５】
2017223759.tif 000007
【図６】
2017223759.tif 000008
【図７】
2017223759.tif 000009
【図８】
2017223759.tif 000010
【図９】
2017223759.tif 000011